(57)【要約】    【課題】パッキンを簡単に、かつ、確実にリング状溝に着脱できる様にするとともに、パッキンの一部が配管内に落下しないようにすることである。    【解決手段】平滑衝接面３ａ、４ａを対向せしめて配設される一対の継手部３、４と、前記平滑衝接面３ａ、４ａに形成されたリング状溝７、８と、前記リング状溝に嵌着され、前記平滑衝接面間をシールするパッツキン１２と、前記両継手部３、４を連結し、前記パッキン１２を締め付けるヘルールクランプ１５と、を備えたサニタリー配管継手において；前記パッキン１２は、軸方向断面が台形状に形成された、フッ素樹脂製パッキンである。  【選択図】  図３
2008275071.tif 000002
【特許請求の範囲】
【請求項１】
平滑衝接面を対向せしめて配設される一対の継手部と、前記平滑衝接面に形成されたリング状溝と、前記リング状溝に嵌着され、前記平滑衝接面間をシールするパッツキンと、前記両継手部を連結し、前記パッキンを締め付ける締付固定手段と、を備えたサニタリー配管継手において；
前記パッキンは、軸方向断面が台形状に形成された、フッ素樹脂製パッキンであることを特徴とするサニタリー継手配管。
【請求項２】
前記リング状溝は、前記平滑衝接面の、前記継手部軸心側を欠如させて断面台形状に形成され、その溝底部は奥側に向かって外側に傾斜していることを特徴とする請求項1記載のサニタリー配管継手。
【請求項３】
前記締付固定手段は、接続片により互い連結され、前記継手部の締付用テーパー面部に嵌着される円弧状のクランプ片と、該両円弧状のクランプ片に設けられ、互いに対向する取付突状部と、該両取付突状部を連結するボルト及びナットと、を備えたへルールクランプであることを特徴とする請求項１、又は、２記載のサニタリー配管継手。
【請求項４】
前記パッキンの内径は、前記両継手部の内径と同一に形成されて、前記パッキンの厚肉部側は前記一方のリング状溝の溝底部に圧接され、その薄肉部側は他方のリング溝の溝底部に当接していることを特徴とする請求項２、又は、3記載のサニタリー配管継手。
【発明の詳細な説明】
【技術分野】
【０００１】
本発明は、食品、医薬品、化粧品等の製造に用いられるサニタリー配管に関するものであり、更に述べると、サニタリー配管同士を連結するサニタリー配管継手に関するものである。
【背景技術】
【０００２】
従来、食品や医薬品等の製造プロセスラインでは、サニタリー配管を使用しているが、管内を流れる原料が管壁に付着するので、衛生上、該管内を洗浄し、きれいにすることが必要である。又、製品を切り替えて製造する場合には、製品管理上、管壁に付着している切替前の製品の原料が、切替後の製品に混入しないようにするために、管内をきれいにしておくことが重要である。
【０００３】
前記サニタリー配管は、継手を介して管同士が連結されているので、前記管内の清掃を行うためには、前記継手の脱着作業を行わなければならない。そこで、前記継手の着脱を容易にするための、次のような継手が開発されている（例えば、特許文献１、参照）。
双方の短部材の配管に接続される側と反対側の軸にフランジ部を形成し、そのフランジ部と反対側の面をテーパー形状として、この双方の短管部材に形成されたフランジ部の間にパッキンを介在させて、このテーパー形状のフランジ部をクランプし、前記両配管同士を水密に連結する。
【０００４】
前記パッキンは、シール性維持のために使用されるが、このパッキンの材料として、シリコン系プラスチック、ポリテトラフルオロエチレン樹脂(PTFE)等が利用されている。このパッキン（ガスケット）は、同心円状に中心部をくり貫いた所定の厚みを有する円板環状体であって、該環状体と同心円環状に円板部上下に凸部を有している（例えば、特許文献２、参照）。
【０００５】
【特許文献１】登録新案第３０３７３８０号公報
【特許文献２】特開平５−９９３４３号公報
【発明の開示】
【発明が解決しようとする課題】
【０００６】
特許文献１では、両フランジ部間にガスケット(パッキン)を挟んで漏れを防いでいるが、前記両フランジのクランプ力が強すぎてパッキンを締付け過ぎると、該ガスケットの材質によっては、変形し管路口径を締め切ったり、又は、該ガスケットが破損して配管内に混入する恐れがある。
【０００７】
特許文献２では、ガスケット（パッキン）の締め付け応力が大きいと、ガスケットの中央部の貫通穴が応力により変形（伸びる）する。そのため、前記貫通穴の直径は、設計値よりも小さくなるので、前記管路内に水が溜まる事故が発生する。又、ガスケット(パッキン)の材料として、シリコン系プラスチック、又は、エチレンプロピレンゴムを用いると、経時的に劣化し、その一部が前記配管内に落下して異物として製品に混入されることがある。
【０００８】
特許文献２では、パッキンの外周縁部に鉤部を設け、ガスケットをフランジ部に仮固定し、パッキン着脱の際に落下しないようにしている。しかし、前記鉤部をフランジ部の外周面に正確に位置合わせしながらパッキンを装着しなければならないので、面倒であり時間もかかる。又、前記鉤部はフランジ部の外周面上に突出した状態で装着されるので、外観上好ましくない上、物に引っかかり障害となることがある。
【０００９】
この発明は、上記事情に鑑み、パッキンを簡単に、かつ、確実にリング状溝に着脱できる様にすることを目的とする。他の目的は、ガスケット（パッキン）の一部が配管内に落下しないようにすることである。
【課題を解決するための手段】
【００１０】
この発明は、平滑衝接面を対向せしめて配設される一対の継手部と、前記平滑衝接面に形成されたリング状溝と、前記リング状溝に嵌着され、前記平滑衝接面間をシールするパッツキンと、前記両継手部を連結し、前記パッキンを締め付ける締付固定手段と、を備えたサニタリー配管継手において；前記パッキンは、軸方向断面が台形状に形成された、フッ素樹脂製パッキンであることを特徴とする。
【００１１】
この発明の前記リング状溝は、前記平滑衝接面の、前記継手部軸心側を欠如させて断面台形状に形成され、その溝底部は奥側に向かって外側に傾斜していることを特徴とする。
【００１２】
この発明の前記締付固定手段は、接続片により互い連結され、前記継手部の締付用テーパー部に嵌着される円弧状のクランプ片と、該両円弧状のクランプ片に設けられ、互いに対向する取付突状部と、該両取付突状部を連結するボルト及びナットと、を備えたへルールクランプであることを特徴とする。
【００１３】
この発明の前記パッキンの内径は、前記両継手部の内径と同一に形成されて、前記パッキンの厚肉部側は前記一方のリング状溝の溝底部に圧接され、その薄肉部側は他方のリング溝の溝底部に当接していることを特徴とする。
【発明の効果】
【００１４】
この発明のパッキンは、軸方向断面が台形状に形成された、フッ素樹脂製パッキンであるので、前記パッキンの厚肉部側は、一方のリング状溝の溝底部に圧接され強固に固定されるが、その薄肉部側は他方のリング溝の溝底部に当接状態となり、前記厚肉部よりも弱く固定される。そのため、前記パッキンをリング溝に嵌着する際に、前記厚肉部側をリング状溝に押し込んで嵌着すると、該パッキンから手を離しても落下することはない。また、前記継手を外す際に、両継手部を離間させると、前記パッキンの厚肉部側はリング状溝に圧接し、前記薄肉部は前記リング状溝に当接しているので、前記厚肉部側は前記リング状溝に固定された状態を維持し、前記薄肉部側は前記リング状溝から抜ける。そのため、前記パッキンは前記継手部を外す際にも落下することがない。
【００１５】
前記パッキンは、従来例(特許文献２)と異なり、鉤部を備えていないので、従来例のような問題の発生を防止することが出来る。
【００１６】
前記パッキンは、フッ素樹脂で形成されているので、耐熱性、耐摩耗性、非粘着性、低摩擦性、耐候性、などに優れている。そのため、シリコンゴム製パッキンなどと異なり、パッキンの一部が剥離して管内に落下するのを防止することができる。
【００１７】
この発明は、前記へルールクランプを設けたので、両継手部にパッキンを装着し締め付けた際、前記衝接面間に監視隙間を発生させることができる。このフッ素樹脂製パッキンが経年変化により磨耗した場合には、シール力が弱まるので、クランプ力を強めて、該パッキンを締め付け前記監視隙間を小さくするが、十分なシール力となると、それ以上締め付けることができなくなる。このようにしてクランプの締め付けを繰り返すうちに前記両衝接面が当接し、パッキンの締め付けが不可能となる。この時該パッキンは交換すべき状態となっているので、新しいものと交換する。この様にしてパッキンの交時期を知ることができる。
【発明を実施するための最良の形態】
【００１８】
この発明の実施形態を図１〜図５により説明する。
サニタリー配管継手１は、互いに対向する一対の継手部３、４を備えている。この両継手部３、４の端面は、平滑衝接面、即ち、平坦な垂直面、３ａ、４ａとなっており、その外周面には前記衝接面３ａ、４ａと水平面３ｂ、４ｂを介して連続する締付用テーパー面部３ｃ、４ｃが設けられている。前記両テーパー面部３ｃ、４ｃは互いに軸対称に形成され、その傾斜角度は同一である。
【００１９】
衝接面３ａ、４ａの、継手部３、４の中心軸Ｃ側が切り欠かれてリング状溝７、８となっている。このリング状溝７、８の軸方向断面は台形状となっており、その溝底部７ａ、８ａは奥側に向かって外側に傾斜している。この溝７、８の側壁７ｂ、８ｂは、前記衝接面３ａ、４ａと平行な垂直壁となっている。
【００２０】
パッキン(「ガスケット」ともいう)１２は、テフロン（登録商標）製リングであり、その軸(直径)方向断面は台形状に形成されている。前記テフロン(登録商標)は、フッ素樹脂の商品名であるが、このフッ素樹脂の具体例として、例えば、ポリテトラフルオロエチレン（ＰＴＦＥ）、・パーフルオロアルキルビニルエーテル共重合体（ＰＦＡ）、テトラフルオロエチレン・ヘキサフルオロプロピレン共重合体（ＦＥＰ）、がある。
【００２１】
前記パッキン１２の4辺はそれぞれ平滑面となっており、その内径ｄは、前記継手部３、４の内周面３ｄ、４ｄの径と同一に形成されている。また、前記パッキン12の底辺１２ａ側は厚肉部１２Ａであり、その頭辺１２ｂ側は、前記肉厚部１２Ａより肉厚が薄い、薄肉部１２Ｂとなっている。前記厚肉部１２Ａは、前記リン溝７、８と合同形状に形成されている。前記底辺１２ａの長さと前記頭辺１２ｂの長さとの差は、例えば、３ｍｍであり、前記両辺１２ａ、１２ｂ端部間を結ぶ側辺は、角度θ、例えば、θ＝3度、傾斜している。
【００２２】
前記継手３、４は、へルールクランプ１５により連結され、一体となっている。このへルールクランプ１５は、円弧状に形成された第１及び第２クランプ部材１６、１７と、該両クランプヘン部材１６、１７の一端に連結され、両部材１６、１７を回動可能に連結する連結片１９と、前記クランプ部材１６の他端に設けた取付突状部１６ａに連結され、前記クランプ部材１７の取付突状部１７ａを貫通するボルト２１と、該ボルト２１に螺着される蝶ナット２３と、から構成されている。前記クランプ部材１６、１７は、嵌合凹部２４を有し、その両側壁２４ａ、２５ｂは前記継手部３、４の締付用テーパー面部３ｃ、４ｃに嵌着される。
【００２３】
次に、本実施形態の作動について説明する。
サニタリー配管継手の分解：
サニタリー配管を清掃する場合には、蝶ナット２３を緩む方向に回転させてボルト２１を外し、へルールクランプ１５の固定を解除する。
【００２４】
この状態において、パッキン１２の厚肉部１２Ａは、リング状溝７の底部に圧接し、その薄肉部１２Ｂはリング状溝８に当接している。そのため、一方の継手部３を引っ張り他方の継手部４から離間させると、パッキン１２は継手部３に固定された状態で、前記リング状溝８から抜けるので、該パッキン１２は、落下することはない。
【００２５】
その後、該パッキン１２を引っ張って前記リング状溝７から抜き出し、配管継手３、４の洗浄(清掃)を行う。
サニタリー配管の組み立：
前清掃が完了後、パッキン１２の厚肉部１２Ａを継手部３のリング状溝７に圧入して嵌着し、溝底部７ａに圧接させる。この時、パッキン１２は、片持ちの状態でリング状溝７に強固に固定されている。
【００２６】
この状態で、該パッキン１２の薄肉部１２Ｂを継手部４のリング状溝８に挿入する。その後、クランプ部材１６、１７をテーパー面部３ｃ、４ｃに嵌着し、蝶ナット２３を締め付け方向に回して締め付けるが、一定の回数回転させると、それ以上回らなくなる。この時、パッキン１２は、前記両リング状溝７、８に嵌着され、その両底壁１２ａ、頭壁１２ｂはリング状溝７、８の両側壁に圧接して密着するが、前記薄肉部１２Ｂ側の外周面は溝底部８ａに当接し、ほとんど隙間は存在しなくなる。
【００２７】
パッキンの交換：
前記状態において、両衝接面合３a、４a間には、監視隙間ｗが空いている。この隙間ｗはパッキン１２の交換時期を判断する目安となる。
即ち、経年変化によりパッキン12が減った場合には、蝶ナット２３を回して締め付け、これ以上回らない程度まで締め直し、シール力を維持させる。この様な調整行程を繰り返すうちに、両衝接面３ａ、４ａは当接する様になる。
【００２８】
前記両衝接面３、４が当接すると、パッキン１２は、使用限界に達していることになる。そこで、新しいパッキンと交換する。このように前記監視隙間ｗによりパッキンの交換時期を知ることが出来る。
【図面の簡単な説明】
【００２９】
【図１】本件発明の実施例を示す平面図である。
【図２】図１のII−II線断面図である。
【図３】図２の要部拡大図である。
【図４】パッキンの正面図である。
【図５】図４のV−V線断面図である。
【符号の説明】
【００３０】
１      サニタリー配管継手
３      継手部
３ａ    平滑衝接面
４      継手部
４ａ    平滑衝接面
７      リング状溝
８      リング状溝
１２    パッキン
１２Ａ  厚肉部
１２Ｂ  薄肉部
１５    ヘルールクランプ
【図１】
2008275071.tif 000003
【図２】
2008275071.tif 000004
【図３】
2008275071.tif 000005
【図４】
2008275071.tif 000006
【図５】
2008275071.tif 000007